(57)【要約】【課題】  複数の精度管理図を同一画面で一度に表示させる場合において、一部または全ての精度管理図の切り替えを簡便に行なえる自動分析装置を提供すること。【解決手段】  精度管理試料を測定したデータを取得し保存するデータ保存部と、データ保存部から精度管理図を表示するためのデータを抽出する条件を保存する抽出条件保存部と、抽出条件保存部が保存したデータ抽出条件の中からデータ抽出条件を指定する抽出条件指定部と、抽出条件指定部で指定したデータ抽出条件でデータ保存部から抽出した精度管理試料測定データに基づき精度管理図を作成し表示する精度管理図作成表示部と、を備え、かつ前記抽出条件保存部が複数のデータ抽出条件をグループ化したレコードをさらに保存し、前記抽出条件指定部が前記レコードを指定し、前記精度管理図作成表示部が当該指定したレコード内のデータ抽出条件でデータ保存部から前記データを抽出する、前記自動分析装置により前記課題を解決する。【選択図】  図１
2015222214.tif 000002
【特許請求の範囲】
【請求項１】
精度管理試料を測定したデータを取得し保存するデータ保存部と、データ保存部から精度管理図を表示するためのデータを抽出する条件を保存する抽出条件保存部と、抽出条件保存部が保存したデータ抽出条件の中からデータ抽出条件を指定する抽出条件指定部と、抽出条件指定部で指定したデータ抽出条件でデータ保存部から抽出した精度管理試料測定データに基づき精度管理図を作成し表示する精度管理図作成表示部と、を備えた自動分析装置であって、
前記抽出条件保存部が複数のデータ抽出条件をグループ化したレコードをさらに保存し、前記抽出条件指定部が前記レコードを指定し、前記精度管理図作成表示部が当該指定したレコード内のデータ抽出条件でデータ保存部から前記データを抽出する、前記自動分析装置。
【請求項２】
精度管理図作成表示部が、精度管理図をデータ保存部から抽出する条件の数だけ同時に表示可能な、請求項１に記載の自動分析装置。
【請求項３】
抽出条件指定部が抽出条件保存部に保存されたレコード内のデータ抽出条件の閲覧および削除が可能な、請求項１または２の自動分析装置。
【請求項４】
抽出条件指定部が抽出条件保存部に保存されたレコード内へのデータ抽出条件の追加が可能な、請求項３に記載の自動分析装置。
【発明の詳細な説明】
【技術分野】
【０００１】
本発明は、精度管理試料を定期的に測定して品質特性の経時変化を管理する機能を有した自動分析装置に関する。
【背景技術】
【０００２】
従来より自動分析装置には、分析精度の維持管理のため、精度管理試料を定期的に測定して精度管理図を作成し、それに基づき品質特性の経時変化を管理する機能が備えられている。前記機能を備えた自動分析装置の一例として、特許文献１には、測定項目ごとに複数の精度管理図を重ね合わせた画面が表示され、特性値の推移を相互に比較しやすい工夫がなされた自動分析装置を開示している。
【先行技術文献】
【特許文献】
【０００３】
【特許文献１】特開２０１２−２３３７９９号公報
【発明の概要】
【発明が解決しようとする課題】
【０００４】
通常、精度管理図を作成するには、精度管理試料を測定したデータの中から、精度管理図を作成するために必要なデータを抽出するためのパラメータ（たとえば、精度管理試料の種類、ロット番号、測定項目、測定日の表示区間、使用した測定ユニット等の組み合わせ）を指定する必要がある。前記パラメータが異なる複数の条件で抽出して作成した複数の精度管理図を同一画面で一度に表示させる場合、日常点検としての分析装置の精度管理状態の把握や、検査値の真偽の検証等の目的で、一部または全ての精度管理図を切り替えることがある。しかしながら、従来の自動分析装置では、変更するパラメータを、切り替える精度管理図の数だけ少なくとも指定する必要があり、手間のかかる操作となっていた。
【０００５】
そこで本発明の課題は、複数の精度管理図を同一画面で一度に表示させる場合において、一部または全ての精度管理図の切り替えを簡便に行なえる自動分析装置を提供することを目的とする。
【課題を解決するための手段】
【０００６】
上記課題を解決するために、本発明者らは鋭意検討を重ねた結果、本発明に到達した。
【０００７】
すなわち本発明の第一の態様は、
精度管理試料を測定したデータを取得し保存するデータ保存部と、データ保存部から精度管理図を表示するためのデータを抽出する条件を保存する抽出条件保存部と、抽出条件保存部が保存したデータ抽出条件の中からデータ抽出条件を指定する抽出条件指定部と、抽出条件指定部で指定したデータ抽出条件でデータ保存部から抽出した精度管理試料測定データに基づき精度管理図を作成し表示する精度管理図作成表示部と、を備えた自動分析装置であって、
前記抽出条件保存部が複数のデータ抽出条件をグループ化したレコードをさらに保存し、前記抽出条件指定部が前記レコードを指定し、前記精度管理図作成表示部が当該指定したレコード内のデータ抽出条件でデータ保存部から前記データを抽出する、前記自動分析装置である。
【０００８】
また本発明の第二の態様は、精度管理図作成表示部が、精度管理図をデータ保存部から抽出する条件の数だけ同時に表示可能な、前記第一の態様に記載の自動分析装置である。
【０００９】
また本発明の第三の態様は、抽出条件指定部が抽出条件保存部に保存されたレコード内のデータ抽出条件の閲覧および削除が可能な、前記第一または第二の態様に記載の自動分析装置である。
【００１０】
また本発明の第四の態様は、抽出条件指定部が抽出条件保存部に保存されたレコード内へのデータ抽出条件の追加が可能な、前記第三の態様に記載の自動分析装置である。
【００１１】
なお本発明の自動分析装置に備える、精度管理図作成表示部で作成表示する図の枠数に特に限定はなく、例えば、複数のデータ抽出条件に基づき抽出した精度管理試料測定データが共通の縦軸からなる一つの図枠内に全てプロットされていてもよいし、前記データがデータ抽出条件ごとに一つの図枠内にプロットされていてもよいし、前記二つの態様が併存した態様であってもよい。
【発明の効果】
【００１２】
本発明は、精度管理試料を測定したデータを取得し保存するデータ保存部と、データ保存部から精度管理図を表示するためのデータを抽出する条件を保存する抽出条件保存部と、抽出条件保存部が保存したデータ抽出条件の中からデータ抽出条件を指定する抽出条件指定部と、抽出条件指定部で指定したデータ抽出条件でデータ保存部から抽出した精度管理試料測定データに基づき精度管理図を作成し表示する精度管理図作成表示部と、を備えた自動分析装置であって、前記抽出条件保存部が複数のデータ抽出条件をグループ化したレコードをさらに保存し、前記抽出条件指定部が前記レコードを指定し、前記精度管理図作成表示部が当該指定したレコード内のデータ抽出条件でデータ保存部から前記データを抽出する、ことを特徴としている。本発明は、精度管理試料測定データを抽出する条件、すなわち精度管理図を作成し表示する条件をグループ化することにより、同一の表示部に表示された複数の精度管理図の一部または全てを一回の操作で、他の精度管理図に切り替えることができるため、操作性が著しく改善される。
【００１３】
なお本発明の自動分析装置に備える抽出条件指定部が、抽出条件保存部に保存されたレコード内のデータ抽出条件の閲覧および削除可能な構成であると好ましく、前記レコードへのデータ抽出条件の追加が可能な構成であるとさらに好ましい。さらに、精度管理図作成表示部で表示した精度管理図の抽出条件を取得し表示するための機能ボタンをさらに備えると好ましく、これによりデータ抽出条件のレコードへの追加の手間を軽減することができる。
【図面の簡単な説明】
【００１４】
【図１】本発明の自動分析装置の機能ブロック図の一例である。
【図２】本発明の自動分析装置における精度管理図を表示した画面の一例を示す図である。
【図３】本発明の自動分析装置におけるレコード一覧画面の一例を示す図である。
【図４】本発明の自動分析装置におけるレコード追加画面の一例を示す図である。
【図５】本発明の自動分析装置におけるレコード（データ抽出条件をグループ化したもの）の例を示す図である。
【発明を実施するための形態】
【００１５】
以下、図面を用いて本発明を詳細に説明する。
【００１６】
図１に本発明の自動分析装置の機能ブロック図の一例を示す。データ保存部１は、自動分析装置の主な機能である、検体、標準物質または精度管理試料を測定しデータを取得・保存する機能を有する。抽出条件保存部２は、データ保存部１から精度管理図を表示するためのデータを抽出する条件を保存する。抽出条件指定部３は、抽出条件保存部２が保存したデータ抽出条件の中からデータ抽出条件を指定する。精度管理図作成表示部４は、抽出条件指定部３で指定したデータ抽出条件でデータ保存部１から抽出した精度管理試料測定データに基づき精度管理図を作成し表示させる（精度管理図の表示の一例を図２に示す）。なお抽出条件保存部２は、複数のデータ抽出条件をグループ化したレコードをさらに保存しており、抽出条件指定部３には、前記レコード内にあるデータ抽出条件の閲覧および削除が可能なレコード一覧画面５と、前記レコードへのデータ抽出条件の追加が可能なレコード追加画面６と、をさらに設けている。
【００１７】
抽出条件指定部２によるデータ抽出条件の指定は、精度管理図の表示画面（図２）上で行なうことができる。それぞれの精度管理図の表示画面（図２）の左側には、表示条件（データ抽出条件）を指定するためのパラメータ（例えばＱＣ材料名、ＱＣロット、（検査）項目名および（測定）ユニット）を特定するための入力部を設けており、コンボボックス（下向き黒三角の記号を有した枠）から新たな文字列を直接入力する、または過去に入力された文字列のリストを呼び出して選択入力することでデータ抽出条件（表示条件）を指定することができる。
【００１８】
本発明の自動分析装置は、抽出条件保存部が複数のデータ抽出条件をグループ化したレコードをさらに記憶し、抽出条件指定部が前記レコードを指定し、精度管理図作成表示部が当該指定したレコード内のデータ抽出条件でデータ保存部から精度管理試料測定データを抽出することを特徴としている。従来の自動分析装置では、例えば図２において、三つの精度管理図を表示するために、表示条件（データ抽出条件）を指定するためのパラメータ、すなわちＱＣ材料名、ＱＣロット、項目名およびユニットを特定する入力作業を三回行なう必要があった。一方、本発明の自動分析装置では、三つの表示条件（データ抽出条件）をグループ化したレコードを特定の名称で抽出条件保存部に保存しておき、当該レコードを適宜呼び出すことで、三つの精度管理図を１回の操作で更新することができる。なお本例では、精度管理試料測定データの取得時期（表示区間）に係るパラメータは、各精度管理図ごとに指定することになっているが、当該パラメータをレコードに追加保存すれば、１回の操作で三つの精度管理図の表示区間も一括更新することができる。
【００１９】
さて精度管理図の表示画面（図２）の右下に設けた「表示グループ設定」ボタンを押下すると、レコード内にあるデータ抽出条件を表示するレコード一覧画面（図３）が呼び出される。レコード一覧画面（図３）は今までに登録されたレコード（データ抽出条件（表示条件）をグループ化したもの）が閲覧できる。図３の左側のペインにはレコードリスト（グループＡ、グループＢ、・・・）が表示され、リスト中フォーカスされたレコード（図３ではグループＡ）の詳細（パラメータの内容）が精度管理図の表示位置（上段、中段、下段）ごとに右側のペインに表示される。
【００２０】
レコード一覧画面（図３）の左下にある「追加」ボタンを押すと、レコード追加画面（図４）が新たに表示される。そこには、精度管理グラフの表示位置（上段、中段、下段）ごとに各パラメータの入力ボックス（コンボボックス）が用意されている。ここで、左下方にある「現在の表示条件を取得」ボタンを押下すると、精度管理図作成表示部に現在表示されている精度管理図のデータ抽出条件を取得し、その内容がレコード追加画面（図４）に表示される。必要に応じてコンボボックスの入力内容を適宜修正し、「ＱＣ材料グループ名」の入力ボックスに新しいレコード名（グループ化したデータ抽出条件の名称）を入力し、「ＯＫ」ボタンを押すことによりレコードが追加登録される。追加登録されたレコードは、精度管理図の表示画面（図２）の左下にある「表示グループ」のコンボボックスから選択できるようになり、前記追加登録したレコード名を選択すれば、当該レコード内のデータ抽出条件（表示条件）に従い、三つの精度管理図の表示が一括更新される。
【００２１】
三つの精度管理図からなるレコードの作成例を図５に示す。例１に示したのは、濃度の異なる３つのＱＣ材料ＱＣ−Ｌｖ１、ＱＣ−Ｌｖ２およびＱＣ−Ｌｖ３を同一分析項目、同一分析ユニットで比較したグループであり、これにより各濃度域で異常がないかを比較・確認する。例２に示したのは、１つのＱＣ材料を異なる分析ユニットＡ／Ｂ／Ｃで比較したい場合のグループであり、これにより各分析ユニット単位で異常がないかを比較・確認する。例３に示したのは、検査目的に応じた疾患関連項目、ここでは甲状腺疾患関連項目であるＴＳＨ（甲状腺刺激ホルモン）、ＦＴ４（遊離サイロキシン）およびＦＴ３（遊離トリヨードサイロニン）を用いて精度管理図を比較・確認する。
【符号の説明】
【００２２】
１：データ保存部
２：抽出条件保存部
３：抽出条件指定部
４：精度管理図作成表示部
５：レコード一覧画面
６：レコード追加画面
【図１】
2015222214.tif 000003
【図２】
2015222214.tif 000004
【図３】
2015222214.tif 000005
【図４】
2015222214.tif 000006
【図５】
2015222214.tif 000007